(57)【特許請求の範囲】
【請求項１】
一端側の側壁に沈砂投入口が設置してあり且つ内底部から他端側の槽外へ至る位置まで斜め上向きに延びるように沈砂排出用スクリューコンベヤが設置してある受槽に沈砂を投入して洗浄し、沈砂を沈砂排出用スクリューコンベヤで排出するようにしてある沈砂洗浄装置において、上記受槽内の沈砂投入口設置側に、該沈砂投入口を取り囲むような大きさとした中空状で且つ周壁部に上記沈砂が通過できない大きさに設定したスリット又は孔を有する多孔構造としたドラムを、該ドラムの端部が沈砂排出方向へ向くように斜め下向きに配置して、該ドラムの一端部を、上記受槽の一端側側壁に回転自在に片持ち支持させて、上記沈砂投入口より投入された沈砂を、回転する上記ドラム内を通して該ドラムの他端から受槽内底部に落下させるようにした構成を有することを特徴とする沈砂洗浄装置。
【請求項２】
一端側の側壁に沈砂投入口が設置してあり且つ内底部から他端側の槽外へ至る位置まで斜め上向きに延びるように沈砂排出用スクリューコンベヤが設置してある受槽に沈砂を投入して洗浄し、沈砂を沈砂排出用スクリューコンベヤで排出するようにしてある沈砂洗浄装置において、上記受槽内の沈砂投入口設置側に、該沈砂投入口を取り囲むような大きさとした中空状にすると共に周壁部に上記沈砂が通過できない大きさに設定したスリット又は孔を有する多孔構造とし且つ内周面部に攪拌部材を取り付けたドラムを、該ドラムの端部が沈砂排出方向へ向くように斜め下向きに配置して、該ドラムの一端部を、上記受槽の一端側側壁に回転自在に片持ち支持させて、上記沈砂投入口より投入された沈砂を、回転する上記ドラム内を通して該ドラムの他端から受槽内底部に落下させるようにした構成を有することを特徴とする沈砂洗浄装置。
【発明の詳細な説明】
【０００１】
【発明の属する技術分野】
本発明は下水処理場やポンプ場等の沈砂池から回収される沈砂を洗浄するために用いる沈砂洗浄装置に関するものである。
【０００２】
【従来の技術】
下水処理場等の沈砂池から回収される沈砂には、ヘドロや人糞等の有機汚物が付着しているので、処理を行う場合、運搬中や処分地での汚水流出、悪臭発生、更には浸出水による周辺水域への汚染等、二次公害が発生しないよう、洗浄により有機汚物を分離させる必要がある。
【０００３】
従来の沈砂洗浄装置としては、図４にその一例の概略を示す如く、上流側となる一端側の側壁に沈砂４を投入するための沈砂投入口５が設けてあり且つ内底部から下流側となる他端側の槽外上方へ至る位置まで斜め上向きに延びるように沈砂排出用スクリューコンベヤ１が設置してある受槽２内に、内底板を除く上部位置に仕切壁３を設けて、受槽２内を、上記沈砂排出用スクリューコンベヤ１による沈砂排出方向に沿って一次槽２ａと二次槽２ｂとに区画し、該区画された二次槽２ｂの側壁に、溢流管８に連通させてある溢流口９を開口させた構成とし、沈砂投入口５を通して一次槽２ａへ沈砂４を投入したときの衝撃と槽内に供給した希釈用洗浄水６としての清水による希釈のみによって有機汚物を分離させ、有機汚物を分離させた後の沈砂４を沈砂排出用スクリューコンベヤ１により槽外へ排出して回収させるようにした簡易洗砂装置や、図５に概略を示す如く、図４と同様に沈砂投入口５と沈砂排出用スクリューコンベヤ１を設置した受槽２内に、モータ１０の駆動により垂直軸を中心に回転操作される仕切ゲート１１を配して、受槽２内を沈砂投入口５側の一次槽２ａと沈砂排出用スクリューコンベヤ１側の二次槽２ｂとに区画形成し、一次槽２ａの沈砂投入口５の下方位置の内側壁に、受槽２の外側のモータ１２に連結されて回転させられるようにした回転翼（パルセータ）１３を洗浄機として装備させ、且つ二次槽２ｂに溢流口９を設け、仕切ゲート１１を閉じた状態で、一次槽２ａに沈砂４を投入して、回転翼１３の回転により分離拡散洗浄を行わせるようにし、一方、二次槽２ｂですすぎ洗いに使用した排水１５を溢流口９から溢流管８に溢流させて循環ポンプ１４で圧送管１６を通し一次槽２ａへ圧送し、希釈洗浄水として再利用させるようにして有機汚物を沈砂４から分離させるようにし、更に、一次槽２ａでの洗浄後、仕切ゲート１１を開いて二次槽２ｂに沈砂４を払い出し、洗浄水６により二次槽２ｂで更にすすぎ洗いを行わせるようにした沈砂洗浄装置もある。図４中、７は沈砂排出用スクリューコンベヤ１の駆動モータを示し、図５中、１７は排水循環管を示す。
【０００４】
【発明が解決しようとする課題】
ところが、図４に示す沈砂洗浄装置の場合には、清水希釈のみによる簡易洗浄であるため、沈砂４に付着している有機汚物の分離、除去作用を効果的に行うことができず、除去効果が得られないという問題がある。
【０００５】
一方、図５に示す沈砂洗浄装置の場合には、沈砂４から有機汚物を効果的に分離させることはできるが、回転翼１３により激しい水流を作るために大きな動力が必要となるという問題がある。
【０００６】
そこで、本発明は、大きな動力を要することなく沈砂に付着している有機汚物を効果的に分離させて除去することができるようにしようとするものである。
【０００７】
【課題を解決するための手段】
本発明は、上記課題を解決するために、一端側の側壁に沈砂投入口が設置してあり且つ内底部から他端側の槽外へ至る位置まで斜め上向きに延びるように沈砂排出用スクリューコンベヤが設置してある受槽に沈砂を投入して洗浄し、沈砂を沈砂排出用スクリューコンベヤで排出するようにしてある沈砂洗浄装置において、上記受槽内の沈砂投入口設置側に、該沈砂投入口を取り囲むような大きさとした中空状で且つ周壁部に上記沈砂が通過できない大きさに設定したスリット又は孔を有する多孔構造としたドラムを、該ドラムの端部が沈砂排出方向へ向くように斜め下向きに配置して、該ドラムの一端部を、上記受槽の一端側側壁に回転自在に片持ち支持させて、上記沈砂投入口より投入された沈砂を、回転する上記ドラム内を通して該ドラムの他端から受槽内底部に落下させるようにした構成とする。
【０００８】
回転しているドラム内に沈砂が投入されると、ドラムの回転により沈砂に攪拌作用が与えられると共に洗浄水により洗浄されることにより、沈砂から有機汚物が分離除去される。
【０００９】
又、ドラムを多孔構造としてあるので、砂のみがドラム内に残り、洗浄水がドラム内外を自由に流通できることになって、希釈効果を充分に発揮できることになる。
【００１０】
更に、一端側の側壁に沈砂投入口が設置してあり且つ内底部から他端側の槽外へ至る位置まで斜め上向きに延びるように沈砂排出用スクリューコンベヤが設置してある受槽に沈砂を投入して洗浄し、沈砂を沈砂排出用スクリューコンベヤで排出するようにしてある沈砂洗浄装置において、上記受槽内の沈砂投入口設置側に、該沈砂投入口を取り囲むような大きさとした中空状にすると共に周壁部に上記沈砂が通過できない大きさに設定したスリット又は孔を有する多孔構造とし且つ内周面部に攪拌部材を取り付けたドラムを、該ドラムの端部が沈砂排出方向へ向くように斜め下向きに配置して、該ドラムの一端部を、上記受槽の一端側側壁に回転自在に片持ち支持させて、上記沈砂投入口より投入された沈砂を、回転する上記ドラム内を通して該ドラムの他端から受槽内底部に落下させるようにした構成としてあるので、ドラム内での沈砂の攪拌作用をより大きくすることができる。
【００１１】
【発明の実施の形態】
以下、本発明の実施の形態を図面を参照して説明する。
【００１２】
図１は本発明の実施の一形態を示すもので、図４に示したものと同様に、受槽２の上流側となる一端側の側壁に沈砂投入口５が設置してあり且つ内底部から下流側となる他端側の槽外上方へ至る位置まで斜め上向きに延びるように沈砂排出用スクリューコンベヤ1が設置してあり、又、上記受槽２内の中央部所要個所に、槽外へ導かれる排水管１８に連通接続した溢流堰１９が設けてある構成において、上記沈砂投入口５に沈砂投入管５ａを挿通させて取り付け、更に、該沈砂投入口５が設置してある個所の受槽側壁２Ａの内側面に、沈砂投入管５ａよりも大径で短尺のガイド筒２０を、沈砂投入口５を取り囲むように沈砂排出方向へ向けて僅かに斜め下向きに固設すると共に、該ガイド筒２０に、ガイド筒２０よりも小径として沈砂排出方向へ向けて斜め下向きの配置とした所要長さの中空状のドラム２１の一端部を、軸受２２を介して回転自在に片持ち支持させて、沈砂４を沈砂投入管５ａを通してドラム２１内の位置へ投入できるようにし、且つ該ドラム２１の外周部に取り付けたスプロケット２３と、槽外に固定設置せるモータ２４の軸に取り付けたスプロケット２５との間にチェーン２６を無端状に掛け回し、モータ２４の駆動力をスプロケット２５からチェーン２６を介しスプロケット２３に伝えてドラム２１を回転させることにより、洗浄水６の存在下で、ドラム２１内に投入されて自重により落下させられる際の沈砂４に攪拌力が与えられるようにする。
【００１３】
上記ドラム２１は、図２（イ）に示す如く、周壁部に多数の帯状スリット２７を回転軸心と平行に（又は周方向に）設けた多孔構造としたり、図２（ロ）に示す如く、周壁部に多数の小孔２８を設けた多孔構造としてある。なお、上記帯状スリット２７や小孔２８は沈砂４が通過しない程度の大きさに設定してある。
【００１４】
モータ２４の駆動によりドラム２１を所要速度で回転させた状態において、沈砂４を沈砂投入管５ａを通してドラム２１内に投入すると、沈砂４はドラム２１の回転作用によって攪拌（攪乱）されつつ自重により他端側へ移動してドラム２１の端から落下させられることになり、この間に、沈砂４に付着している有機汚物はドラム２１内を通過する洗浄水６による洗浄と攪拌作用によって分離されることになる。この際、回転するドラム２１には図２（イ）や（ロ）に示す如き帯状のスリット２７や小孔２８が設けられているため、洗浄水６や有機汚物はこれらスリット２７や小孔２８を自由に通り抜けることができる。したがって、ドラム２１内では洗浄水６や分離された有機汚物が滞留することはなく、受槽２内の洗浄水６による希釈効果を充分に受けることができ、攪拌と希釈効果を受けて有機汚物が分離された後の沈砂４は、ドラム２１の端から落下して沈砂排出用スクリューコンベヤ１により槽外へ排出される。又、沈砂４から分離した有機汚物は浮遊するので、順次溢流堰１９を乗り越えて排出管１８により排出される。
【００１５】
上記において、ドラム２１の回転に必要な動力は、軸受２２の摺動抵抗と、ドラム２１内に投入された沈砂４の自重を移動させる（持ち上げる）位置エネルギーのみであって、水流を作る必要がないので、図５に示す如き激しい水流を作る必要のある回転翼に比して非常に小さなもので済む。
【００１６】
なお、ドラム２１内には、沈砂４と共に水が流入するが、この流入水が不足する場合、あるいは、汚れが激しい場合には、たとえば、図４や図５に示したと同様に外部から洗浄水６としての清水を導入するようにしてもよく、これにより、希釈効果をさらに高めることができる。
【００１７】
次に、図３（イ）（ロ）はいずれも本発明の実施の他の形態を示すものである。すなわち、上記実施の形態と同様な構成において、ドラム２１の内周面の周方向所要間隔位置に、図３（イ）に示す如く、板状の攪拌部材２９を回転軸心と平行に取り付けた構成としたり、図３（ロ）に示す如く、丸棒状の攪拌部材３０を回転軸心と平行に取り付けた構成としたものである。
【００１８】
図３（イ）に示す如き攪拌部材２９や図３（ロ）に示す如き攪拌部材３０をドラム２１の内周部に取り付けると、ドラム２１の回転による沈砂４の攪拌効果を高めることができるようになるので、有機汚物の分離効果をより向上させることができる。
【００１９】
なお、本発明は上記実施の形態にのみ限定されるものではなく、ドラム２１の構造は洗浄対象となる沈砂４の性状に合わせて適宜選定できること、すなわち、ドラム２１のスリット２７や小孔２８の大きさや数、攪拌部材２９や３０の大きさや数、あるいは、これらの有無は任意に選定し得ること、その他本発明の要旨を逸脱しない範囲内において種々変更を加え得ることは勿論である。
【００２０】
【発明の効果】
以上述べた如く、本発明の沈砂洗浄装置によれば、一端側の側壁に沈砂投入口が設置してあり且つ内底部から他端側の槽外へ至る位置まで斜め上向きに延びるように沈砂排出用スクリューコンベヤが設置してある受槽に沈砂を投入して洗浄し、沈砂を沈砂排出用スクリューコンベヤで排出するようにしてある沈砂洗浄装置において、上記受槽内の沈砂投入口設置側に、該沈砂投入口を取り囲むような大きさとした中空状で且つ周壁部に上記沈砂が通過できない大きさに設定したスリット又は孔を有する多孔構造としたドラムを、該ドラムの端部が沈砂排出方向へ向くように斜め下向きに配置して、該ドラムの一端部を、上記受槽の一端側側壁に回転自在に片持ち支持させて、上記沈砂投入口より投入された沈砂を、回転する上記ドラム内を通して該ドラムの他端から受槽内底部に落下させるようにした構成としてあるので、ドラム内に投入された沈砂を水による洗浄とドラムの回転による攪拌作用とによって、沈砂に付着している有機汚物を効率よく分離させることができると共に、ドラムの回転では厳しい水流を作る必要がないので回転に必要な動力は非常に小さいものでよくて有利であり、又、ドラムを多孔構造としてあるので、砂はドラム内に残し洗浄水を自由に流通させることができて、洗浄水による希釈効果を充分に発揮させることができ、更に、一端側の側壁に沈砂投入口が設置してあり且つ内底部から他端側の槽外へ至る位置まで斜め上向きに延びるように沈砂排出用スクリューコンベヤが設置してある受槽に沈砂を投入して洗浄し、沈砂を沈砂排出用スクリューコンベヤで排出するようにしてある沈砂洗浄装置において、上記受槽内の沈砂投入口設置側に、該沈砂投入口を取り囲むような大きさとした中空状にすると共に周壁部に上記沈砂が通過できない大きさに設定したスリット又は孔を有する多孔構造とし且つ内周面部に攪拌部材を取り付けたドラムを、該ドラムの端部が沈砂排出方向へ向くように斜め下向きに配置して、該ドラムの一端部を、上記受槽の一端側側壁に回転自在に片持ち支持させて、上記沈砂投入口より投入された沈砂を、回転する上記ドラム内を通して該ドラムの他端から受槽内底部に落下させるようにした構成とすることによって、ドラム内での沈砂の攪拌効果をより高めることができて、有機汚物をより効果的に分離させることができる、という優れた効果を発揮する。
【図面の簡単な説明】
【図１】本発明の沈砂洗浄装置の実施の一形態を示す概略側面図である。
【図２】図１の装置で用いるドラムの例を示すもので、（イ）は周壁部帯状スリットを設けた構造例を示す斜視図、（ロ）は周壁部に小孔を設けた構造例を示す斜視図である。
【図３】図１の装置で用いるドラムの別の例を示すもので、（イ）は内周面部に板状の攪拌部材を設けた例を示す正面図、（ロ）は内周面部に丸棒状の攪拌部材を設けた例を示す正面図である。
【図４】従来の沈砂洗浄装置の一例を示す概略側面図である。
【図５】従来の沈砂洗浄装置の他の例を示す概略側面図である。
【符号の説明】
１  沈砂排出用スクリューコンベヤ
２  受槽
２Ａ  側壁
４  沈砂
５  沈砂投入口
５ａ  沈砂投入管
２１  ドラム
２７  帯状スリット
２８  小孔
２９，３０  攪拌部材
【図１】
0004472829.tif 000002
【図２】
0004472829.tif 000003
【図３】
0004472829.tif 000004
【図４】
0004472829.tif 000005
【図５】
0004472829.tif 000006